【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
複数の線状照明光もしくは複数の点状照明光が２次元配置されて形成された複数の線状照明光を生成する照明光学系と、
前記線状照明光を反射する反射板と
を備え、
前記反射板は、前記線状照明光を生成する部位を通過する平面であって、かつ前記反射板を含む平面と垂直な平面上またはその平面の近傍に前記線状照明光を反射するようになっている
照明装置。
【請求項２】
前記反射板は、前記線状照明光において、前記線状照明光を生成する部位と垂直な平面と平行な光の成分を考えた場合に、前記線状照明光を生成する部位を通過する線分であって、かつ前記反射板を含む平面の法線と平行な線分の上またはその線分の近傍に焦点を結ぶ反射光を生成するようになっている
請求項１に記載の照明装置。
【請求項３】
前記反射板は、前記線状照明光を生成する部位の直下に前記反射光が焦点を結ぶ表面形状を有する
請求項１または請求項２に記載の照明装置。
【請求項４】
前記反射板は、前記反射光が以下の式を満たす位置で焦点を結ぶ表面形状を有する
請求項１ないし請求項３のいずれか一項に記載の照明装置。
Ｈ１/ｎ１−Ｗ１≦Ｈ２≦Ｈ１/ｎ１＋Ｗ１
Ｈ１：前記反射板の上面に形成された複数の頂部を含む平面と、前記線状照明光を生成する部位との距離
Ｈ２：前記反射板の上面に形成された複数の頂部を含む平面と、前記焦点の位置との距離
ｎ１：前記反射板の上面に形成された複数の頂部を含む平面と、前記焦点の位置との間の領域の屈折率
Ｗ１：前記線状照明光を生成する部位の幅
【請求項５】
前記反射板は、前記反射光が以下の式を満たす位置で焦点を結ぶ表面形状を有する
請求項１ないし請求項３のいずれか一項に記載の照明装置。
Ｈ２＝Ｈ１/ｎ１
Ｈ１：前記反射板の上面に形成された複数の頂部を含む平面と、前記線状照明光を生成する部位との距離
Ｈ２：前記反射板の上面に形成された複数の頂部を含む平面と、前記焦点の位置との距離
ｎ１：前記反射板の上面に形成された複数の頂部を含む平面と、前記焦点の位置との間の領域の屈折率
【請求項６】
前記反射板は、前記線状照明光を生成する部位と対向する位置に、円柱の内面の一部を反射面として有する
請求項１ないし請求項５のいずれか一項に記載の照明装置。
【請求項７】
前記反射面における立体形状のピッチは、前記線状照明光を生成する部位のピッチと一致している
請求項１ないし請求項６のいずれか一項に記載の照明装置。
【請求項８】
前記反射面のうち、円柱の内面の一部に相当する部分の半径ｒは、以下の式を満たす
請求項１ないし請求項７のいずれか一項に記載の照明装置。
ｒ＝（Ｈ２2＋(Ｐ１/２)2）1/2
Ｈ２：前記反射板の上面に形成された複数の頂部を含む平面と、前記焦点の位置との距離
Ｐ１：前記線状照明光を生成する部位のピッチ
【請求項９】
前記反射板は、前記反射光が以下の式（１）を満たす位置で焦点を結ぶ表面形状を有しており、かつ、前記線状照明光を生成する部位と対向する位置に、円柱の内面の一部を反射面として有し、
前記反射面における立体形状のピッチは、前記線状照明光を生成する部位のピッチと一致しており、
前記反射面のうち、円柱の内面の一部に相当する部分の半径ｒは、以下の式（２）を満たす
請求項１ないし請求項７のいずれか一項に記載の照明装置。
Ｈ２＝Ｈ１/ｎ１…（１）
ｒ＝（Ｈ２2＋(Ｐ１/２) 2）1/2…（２）
Ｈ１：前記反射板の上面に形成された複数の頂部を含む平面と、前記線状照明光を生成する部位との距離
Ｈ２：前記反射板の上面に形成された複数の頂部を含む平面と、前記焦点の位置との距離
ｎ１：前記反射板の上面に形成された複数の頂部を含む平面と、前記焦点の位置との間の領域の屈折率
Ｐ１：前記線状照明光を生成する部位のピッチ
【請求項１０】
前記反射面における立体形状のピッチは、前記線状照明光を生成する部位のピッチの２倍となっている
請求項１ないし請求項６のいずれか一項に記載の照明装置。
【請求項１１】
前記反射面は、前記線状照明光を生成する第１部位から発せられた光を、前記線状照明光を生成する部位であって、かつ前記第１部位に隣接する第２部位に向けて反射するようになっている
請求項１ないし請求項６のいずれか一項に記載の照明装置。
【請求項１２】
前記反射面は、鏡面となっている
請求項１ないし請求項１１のいずれか一項に記載の照明装置。
【請求項１３】
前記照明光学系は、導光板と、前記導光板の側面に配置された光源とを有し、
前記反射板は、前記導光板に貼り合わされている
請求項１ないし請求項１２のいずれか一項に記載の照明装置。
【請求項１４】
前記照明光学系は、
前記線状照明光を生成する部位を間にして互いに対向配置された第１透明基板および第２透明基板と、
前記第１透明基板および前記第２透明基板の少なくとも一方の表面に設けられた電極と、
前記第１透明基板の端面に光を照射する光源と、
前記第１透明基板と前記第２透明基板との間隙に設けられ、かつ電場の大きさに応じて、前記光源からの光に対して散乱性もしくは透明性を示す光変調層と、
前記電極を駆動する駆動部と
を有し、
前記光変調層は、電場が相対的に小さいときに、前記光源からの光に対して透明性を示し、電場が相対的に大きいときに、前記光源からの光に対して散乱性を示し、
前記駆動部は、前記電極を駆動することにより、前記光変調層に、散乱性を示す複数の  第１領域を生成させ、それによって、前記第１領域から、前記線状照明光を出力させる  
請求項１ないし請求項１３のいずれか一項に記載の照明装置。
【請求項１５】
前記駆動部は、前記電極を駆動することにより、前記光変調層の全体に前記第１領域を生成させ、それによって、前記光変調層の全体から面状照明光を出力させる
請求項１４に記載の照明装置。
【請求項１６】
映像信号に基づいて駆動される複数の画素を有する表示パネルと、
前記表示パネルを照明する照明装置と
を備え、
前記照明装置は、
複数の線状照明光もしくは複数の点状照明光が２次元配置されて形成された複数の線状照明光を生成する照明光学系と、
前記線状照明光を反射する反射板と
を有し、
前記反射板は、前記線状照明光を生成する部位を通過する平面であって、かつ前記反射板を含む平面と垂直な平面上またはその平面の近傍に前記線状照明光を反射するようになっている
表示装置。
【請求項１７】
前記照明装置は、
前記線状照明光を生成する部位を間にして互いに対向配置された第１透明基板および第２透明基板と、
前記第１透明基板および前記第２透明基板の少なくとも一方の表面に設けられた電極と、
前記第１透明基板の端面に光を照射する光源と、
前記第１透明基板と前記第２透明基板との間隙に設けられ、かつ電場の大きさに応じて、前記光源からの光に対して散乱性もしくは透明性を示す光変調層と、
映像信号に基づいて前記電極を駆動する駆動部と
を有し、
前記光変調層は、電場が相対的に小さいときに、前記光源からの光に対して透明性を示し、電場が相対的に大きいときに、前記光源からの光に対して散乱性を示し、
前記駆動部は、前記電極を三次元表示モードに駆動することにより、前記光変調層に、散乱性を示す複数の第１領域を生成させ、それによって、前記第１領域から、前記線状照明光を出力させるようになっている
請求項１６に記載の表示装置。
【請求項１８】
当該表示装置は、前記表示パネルを間にして互いに対向する一対の偏光板をさらに備え、
前記光変調層は、光学異方性を有すると共に電場に対する応答性が相対的に高い第１領域と、光学異方性を有すると共に電場に対する応答性が相対的に低い第２領域とを含み、
前記光変調層が透明性を示すとき、前記第１領域および前記第２領域は、前記一対の偏光板のうち前記照明装置側の偏光板の透過軸と平行な方向に光軸の成分を主に有し、
前記光変調層が散乱性を示すとき、前記第２領域は、前記一対の偏光板のうち前記照明装置側の偏光板の透過軸と平行な方向に光軸の成分を主に有し、前記第１領域は、前記第２領域の光軸と交差または直交すると共に前記第１透明基板と交差または直交する方向に光軸を有する
請求項１６または請求項１７に記載の表示装置。
【手続補正２】
【補正対象書類名】明細書
【補正対象項目名】０００９
【補正方法】変更
【補正の内容】
【０００９】
本技術による照明装置は、複数の線状照明光もしくは複数の点状照明光が２次元配置されて形成された複数の線状照明光を生成する照明光学系と、線状照明光を反射する反射板とを備えている。反射板は、線状照明光を生成する部位を通過する平面であって、かつ反射板を含む平面と垂直な平面上またはその平面の近傍に線状照明光を反射するようになっている。本技術による表示装置は、映像信号に基づいて駆動された複数の画素を有する表示パネルと、表示パネルを照明する照明装置とを備えている。この表示装置に含まれる照明装置は、上記の照明装置と同一の構成要素を有している。